(57)【特許請求の範囲】
【請求項１】
内部に氷塊を貯留する貯氷庫本体と、
前記貯氷庫本体の一側に形成された氷取出口と、
前記貯氷庫本体に回動可能に支持され、前記氷取出口と対向する側に扉裏板が配設されるとともに氷取出口を開閉する開閉扉と、
前記貯氷庫本体に傾動可能に支持され、開閉扉を開放した状態で氷取出口から氷塊を取り出す際に氷塊を庫外へ案内する案内板と案内板の両側に設けられた一対の側板とを有するとともに、開閉扉の開閉動作に連動して貯氷庫本体に出入するスロープ部材とを備えた貯氷庫において、
前記スロープ部材の各側板よりも外側で扉裏板に形成され、扉裏板の下側から上側にいくに従って扉裏板面から除々に離間するようなテーパを有するテーパ部が設けられたことを特徴とする貯氷庫。
【請求項２】
前記各テーパ部の間で、扉裏板面に付着する結露水を所定方向に誘導案内する樋状の結露水案内部が設けられたことを特徴とする請求項１記載の貯氷庫。
【請求項３】
前記結露水案内部には、結露水案内部を介して案内された結露水を貯氷庫本体内に返す結露水返し部が設けられていることを特徴とする請求項２記載の貯氷庫。
【発明の詳細な説明】
【０００１】
【発明の属する技術分野】
本発明は製氷された氷塊をストックする貯氷庫に関し、特に、開閉扉を開放して貯氷庫本体の氷取出口から氷塊を取り出す際に氷塊がスロープ部材における一対の各側板の外方にこぼれた場合においても、開閉扉の閉塞時に氷塊を貯氷庫内に誘導して確実に開閉扉を閉じることが可能であるとともに、氷取出口側に対向する開閉扉の扉裏板に付着する結露水を集合的に案内して効率的に貯氷庫本体内に返すことが可能な貯氷庫に関するものである。
【０００２】
【従来の技術】
従来より、各種の貯氷庫が提案されており、この種の貯氷庫では、一般的に、氷塊を貯留する断熱性の貯氷庫本体に回動可能に支持され、かかる貯氷庫本体に形成された氷取出口を開閉可能な開閉扉、及び、氷案内板とその両側に形成された一対の側板を有し、貯氷庫本体に傾動可能に支持されて開閉扉の開閉動作に連動して貯氷庫本体に出入するスロープ部材が設けられている。
【０００３】
この種の貯氷庫において、貯氷庫本体内に貯留されている氷塊を取り出す際に開閉扉を開放方向に回動すると、かかる開閉扉の開放動作に連動してスロープ部材も開放方向へ傾動する。かかるスロープ部材の開放方向への移動に基づき、貯氷庫本体内の氷塊の一部は、その貯氷量に応じて氷案内板と一対の側板とを介して、貯氷庫本体の庫外へ案内放出される。この状態で、スコップ等を貯氷庫本体内の氷塊群の中へ差し込みスコップ等で氷塊を受けながら氷取出口から庫外に運ぶことにより、貯氷庫本体内の氷塊は庫外に取り出される。
【０００４】
【発明が解決しようとする課題】
しかしながら、前記した貯氷庫において、開閉扉の開放動作に連動するスロープ部材の開放方向への移動に起因して氷塊の一部がスロープ部材を介して貯氷庫本体の庫外へ案内放出される際、又は、スコップ等を氷塊群中に差し込む時に氷塊群がスコップ等を介して押す際に、氷塊がスロープ部材の一対の側板を超えて外側にこぼれてしまうことがある。
【０００５】
これについて図６及び図７に基づき具体的に説明する。図６は開閉扉を開放した状態を模式的に示す貯氷庫の部分斜視図、図７は開閉扉を開放した状態を模式的に示す貯氷庫の部分側面図である。
【０００６】
図６、図７に示すように、貯氷庫本体１００に対して蝶番１０１を介して回動可能に取り付けられた開閉扉１０２を開放すると、その開放動作に連動して、氷案内板１０３及び氷案内板１０３の両側に形成された一対の側板１０４を有するスロープ部材１０５も開放方向へ傾動する。このとき、貯氷庫本体１００内に貯氷されている氷塊量が比較的多い場合には、氷塊１０６の一部がスロープ部材１０５を介して貯氷庫本体１００の庫外へ案内放出されることが多く、かかる際に、氷塊１０７が各側板１０４を超えて外側にこぼれてしまう虞がある。
【０００７】
また、氷取出口１０６から貯氷庫本体１００内の氷塊群にスコップ等を差し込んで氷塊を取り出す時に、氷塊群がスコップ等により押圧されて氷塊群が崩れてしまうことに起因して、前記の場合と同様、氷塊１０７が各側板１０４を超えて外側にこぼれてしまう虞がある。
【０００８】
前記したように、氷塊１０７がスロープ部材１０５の各側板１０４から外側にこぼれてしまうと、図７に示すように、開閉扉１０２における両端部の内面を滑り落ちていき、貯氷庫本体１００の下側前端部１００Ａと開閉扉１０２の下部との間に挟まれてしまう。この結果、開閉扉１０２は、貯氷庫本体１００の下側前端部１００Ａと開閉扉１０２の下部との間に存在する氷塊１０７に起因して、締まり難くなる。また、貯氷庫本体１００は通常ＡＢＳ樹脂等から形成されていることから、開閉扉１０２を閉じる際に、氷塊１０７が貯氷庫本体１００の下側前端部１００Ａを押圧することとなり、これにより貯氷庫本体１００の下側前端部１００Ａがへこんでしまったり、割れてしまったりする問題がある。
【０００９】
このような事情は、特に、開閉扉１０２の内側面に形成される結露水返し部１０８が、開閉扉１０２の内側面に発生する結露水を貯氷庫１００の内部方向に返す作用を行う関係上、図７に示すように、貯氷庫本体１００の下側前端部１００Ａと開閉扉１０２の下部との間に介在する氷塊１０７を抱え込み易い形状を有していることに基づき助長される傾向がある。
【００１０】
本発明は前記従来のおける問題点を解消するためになされたものであり、開閉扉を開放して貯氷庫本体の氷取出口から氷塊を取り出す際に氷塊がスロープ部材における一対の各側板の外方にこぼれた場合においても、開閉扉の閉塞時に氷塊を貯氷庫内に誘導して確実に開閉扉を閉じることが可能であるとともに、氷取出口側に対向する開閉扉の扉裏板に付着する結露水を集合的に案内して効率的に貯氷庫本体内に返すことが可能な貯氷庫を提供することを目的とする。
【００１１】
【課題を解決するための手段】
前記目的を達成するため請求項１に係る貯氷庫は、内部に氷塊を貯留する貯氷庫本体と、前記貯氷庫本体の一側に形成された氷取出口と、前記貯氷庫本体に回動可能に支持され、前記氷取出口と対向する側に扉裏板が配設されるとともに氷取出口を開閉する開閉扉と、前記貯氷庫本体に傾動可能に支持され、開閉扉を開放した状態で氷取出口から氷塊を取り出す際に氷塊を庫外へ案内する案内板と案内板の両側に設けられた一対の側板とを有するとともに、開閉扉の開閉動作に連動して貯氷庫本体に出入するスロープ部材とを備えた貯氷庫において、前記スロープ部材の各側板よりも外側で扉裏板に形成され、扉裏板の下側から上側にいくに従って扉裏板面から除々に離間するようなテーパを有するテーパ部が設けられたことを特徴とする。
【００１２】
請求項１の貯氷庫では、貯氷庫本体の氷取出口と対向する側で開閉扉に配設された扉裏板において、スロープ部材における一対の各側板よりも外側でテーパ部が形成されており、かかる各テーパ部は、扉裏板の下側から上側にいくに従って扉裏板面から除々に離間するようなテーパを有していることから、開閉扉を開放して貯氷庫本体の氷取出口から氷塊を取り出す際に氷塊がスロープ部材における一対の各側板の外方にこぼれた場合においても、貯氷庫本体の下側前端部と開閉扉の下部との間にこぼれた氷塊は、開閉扉の閉塞動作に従って、各テーパ部のテーパに沿って上方に案内されていき、貯氷庫本体の下側前端部の上に乗った後貯氷庫本体内に滑り落ちていく。従って、氷塊がスロープ部材における一対の各側板の外方にこぼれた場合においても、貯氷庫本体の下側前端部と開閉扉の下部との間に氷塊が残存することはなく、これより貯氷庫本体の下側前端部をへこませたり破損することなく開閉扉を確実に閉じることが可能となる。
【００１３】
また、請求項２に係る貯氷庫は、請求項１の貯氷庫において、前記各テーパ部の間で、扉裏板面に付着する結露水を所定方向に誘導案内する樋状の結露水案内部が設けられたことを特徴とし、また、請求項３に係る貯氷庫は、請求項２の貯氷庫において、前記結露水案内部には、結露水案内部を介して案内された結露水を貯氷庫本体内に返す結露水返し部が設けられていることを特徴とする。
【００１４】
請求項２及び請求項３の貯氷庫では、各テーパ部の間で、扉裏板面に付着する結露水を所定方向に誘導案内する樋状の結露水案内部が設けられるとともに、かかる結露水案内部を介して案内された結露水を貯氷庫本体内に返す結露水返し部が設けられているので、結露水案内部を介して集合的に誘導案内された結露水を結露水返し部により効率的に貯氷庫本体内に返すことが可能となる。
【００１５】
【発明の実施の形態】
以下、本発明に係る貯氷庫について、本発明を具体化した実施形態に基づき図面を参照しつつ詳細に説明する。先ず、本実施形態に係る貯氷庫の概略構成について図１に基づき説明する。図１は貯氷庫の一部切欠側断面である。
【００１６】
図１において、貯氷庫１は、その内部に氷塊（図示せず）を貯留する貯氷庫本体２を備えており、かかる貯氷庫本体２は断熱性の上壁３、底壁４等を有する箱体形状に構成されている。尚、貯氷庫本体２には、その後方、側方又は上方に、図示しない製氷部が設けられおり、かかる製氷部にて製氷された角柱状の氷塊が貯氷庫本体２内に放出・貯留されるものである。
【００１７】
上壁３における前面側（図１中、左面側）には、ロック部材５が設けられており、このロック部材５は、後述する開閉扉７の上端に配設されたロック爪１０をロックして開閉扉７を閉塞位置で固定する作用を行う。また、貯氷庫本体２の前面側には、氷取出口６が設けられており、かかる氷取出口６は、上壁３の下端面と底壁４における前面側上端部４Ａの上面とにより決定される上下高さを有し、前面側から見て全体に略長方形状に形成されている。
【００１８】
底壁４の前面側上端部４Ａには、氷取出口６を開閉可能となるように開閉扉７が、前面側上端部４Ａの前面と開閉扉７の下端面とに渡って取り付けられた蝶番８を介して回動可能に支持されている。開閉扉７における前面側（左面側）の上部には、手指により手前側に移動可能なハンドル９が設けられており、また、開閉扉７の上端部には、ハンドル９の手前側への移動に連動して上下方向に出入可能に構成されたロック爪１０が配設されている。かかるロック爪１０は、その出入に基づき、前記上壁３に設けられたロック部材５と係脱可能である。これより、開閉扉７により氷取出口６を閉塞する際には、図１に示すように、ロック部材５とロック爪１０とを相互に係合させれば、氷取出口６を閉塞した状態で開閉扉７を固定することが可能となり、また、開閉扉７を開放する際には、図１に示すように、ハンドル９を手前側に移動してロック爪１０とロック部材５との係合関係を解除すれば、開閉扉７を手前側に回動することが可能となるものである。また、開閉扉７が氷取出口６と対向する側には扉裏板１１が配設されており、この扉裏板１１の外周部にはパッキン１２が取り付けられている。尚、かかる扉裏板１１の構成については後述する。
【００１９】
また、前記開閉扉７の庫内側（図１中、右側）には、開閉扉７の開閉動作に連動して貯氷庫本体２に対して出入可能なスロープ部材１３が配設されている。かかるスロープ部材１３は合成樹脂から形成されており、底壁４における前面側上端部４Ａの庫内側（図１中、右側）に取付ネジ１４を介して取り付けられる取付片１３Ａ、平板状の氷案内板１３Ｂと氷案内板１３Ｂの両側にて一体に設けられ氷案内板１３Ｂと共に断面形状で略コ字状となる一対の側板１３Ｃ（図１には一方の側板１３Ｃのみを示す）を有する案内部材１３Ｄ、及び、取付片１３Ａと案内部材１３Ｄとを連結するとともに屈曲可能に薄く形成された連結部１３Ｅから構成されている。スロープ部材１３は、開閉扉７の閉塞時においては、図１に示すように、氷案内板１３Ｂの先端部が扉裏板１１に当接して略起立状態にあり、一方、開閉扉７を手前側に開放していく時には、連結部１３Ｅが屈曲可能であることに基づき自重により開閉扉７の開放動作に連動追随して手前側に傾動していく。また、開閉扉７を閉塞する時においても前記と同様にして、スロープ部材１３は開閉扉７の閉塞動作に連動追随して庫内側に向かって略起立状態に至るまで傾動する。
【００２０】
続いて、開閉扉７に付設されている扉裏板１１の構成について、図１乃至図５に基づき説明する。図２は扉裏板の正面図、図３は図２における扉裏板１１のＡ−Ａ断面図、図４は図３におけるＢ部分の拡大断面図、図５は図２における扉裏板１１のＣ−Ｃ断面図である。
【００２１】
図１及び図２に示すように、扉裏板１１の外周には、パッキン溝１５が形成されており、かかるパッキン溝１５にはパッキン１２が嵌入されて取り付けられている。また、図２における扉裏板１１の左右両端部において、パッキン溝１５の近傍位置には、テーパ部１６、１６が形成されている。かかるテーパ部１６は、図１及び図３に示すように、扉裏板１１の下側から上側にいくに従って扉裏板面から除々に離間するようなテーパ面１７を有している。また、扉裏板面から最も離間するテーパ部１６の頂点１６Ａは、図１に示すように、パッキン１２の高さよりも高くなるように形成されている。
【００２２】
ここに、扉裏板１１における各テーパ部１６の形成位置は、スロープ部材１３にて氷案内板１３Ｂの両側に形成されている各側板１３Ｃよりも、外側となるように決定されている。これに基づき、開閉扉７の解放時や氷塊の取出時に氷塊がスロープ部材１３の各側板１３Ｃの外側にこぼれた場合には、そのこぼれた氷塊はテーパ部１６のテーパ面１７に乗ることとなり、かかる状態で開閉扉７を閉塞していくと、氷塊はテーパ部１６のテーパ面１７上に沿って上方に移動していき、底壁４における前面側上端部４Ａから貯氷庫本体２内に滑り落ちていくものである。また、扉裏板１１の両側において、各テーパ部１６の頂点１６Ａは、パッキン１２よりも高く形成されていることから、スロープ部材１３の各側板１３Ｃからこぼれた氷塊は頂点１６Ａに当たって開閉扉７の外側にはじき出され易くなり、これより氷塊が底壁４における前面側上端部４Ａと開閉扉７との間に残存し難くなる。
【００２３】
また、扉裏板１１には、前記各テーパ部１６の間で結露水案内部１８が形成されている。この結露水案内部１８は、図２に示すように、各テーパ部１６から内側方向（扉裏板１１の左右方向中央部）に向かって下方に傾斜されるともとに、扉裏板１１の左右方向中央部にて相互に合流する２つの案内部１８Ａ、１８Ｂから構成されている。各案内部１８Ａ、１８Ｂは、それぞれ図５に示すように樋状に形成されている。これより、結露水案内部１８の各案内部１８Ａ及び１８Ｂは、貯氷時に扉裏板１１の庫内側面に付着し、自重により庫内側面に下方に伝ってくる結露水を集合的に受けるとともに、各案内部１８Ａ、１８Ｂの傾斜に基づき合流部１９まで案内する作用を行うものである。
【００２４】
更に、各案内部１８Ａと１８Ｂの合流部１９には、図３及び図４に示すように、各案内部１８Ａ、１８Ｂを介して集合された結露水を貯氷庫本体２内に返す結露水返し部２０が形成されている。ここに、結露水返し部２０は、扉裏板１１の庫内側面から下方に向かって傾斜する傾斜面２０Ａを有し、これより各案内部１８Ａ、１８Ｂを介して合流部１９に集合された結露水は、傾斜面２０Ａを伝って貯氷庫本体２内に返されるものである。
【００２５】
前記のように構成された貯氷庫１において、貯氷庫本体２内に貯氷されている氷塊を取り出す際には開閉扉７を開放する。このとき、スロープ部材１３は、図１に示すように、開閉扉７の開放動作に連動して貯氷庫本体２から外方に傾動される。かかる開閉扉７の開放時、貯氷庫本体２内に貯氷されている氷塊群の量が多い場合には、氷塊群の一部がスロープ部材１３を介して貯氷庫本体２の庫外へ案内放出されて氷塊が各側板１３Ｃを超えて外側にこぼれてしまうことがあり、また、氷取出口６から貯氷庫本体２内の氷塊群にスコップ等を差し込んで氷塊を取り出す時に、氷塊群がスコップ等により押圧されて氷塊群が崩れてしまうことに起因して、氷塊が各側板１３Ｃを超えて外側にこぼれてしまうことがある。
【００２６】
本実施形態に係る貯氷庫１では、前記のように構成されているので、氷の取出作業を行った後、前記のように氷塊がスロープ部材１３の各側板１３Ｃを超えて外側にこぼれた状態で開閉扉７の閉塞動作を行った場合でもその閉塞動作上何ら支障を来すことはない。即ち、開閉扉７を閉塞していくと、その閉塞動作に従って各側板１３Ｃの外側こぼれた氷塊は、テーパ部１６のテーパ面１７に乗りつつテーパ部１６のテーパ面１７上に沿って上方に移動していき、底壁４における前面側上端部４Ａから貯氷庫本体２内に滑り落ちていく。従って、氷塊がスロープ部材１３における一対の各側板１３Ｃの外方にこぼれた場合においても、貯氷庫本体２の前面側上端部４Ａと開閉扉７の下部との間に氷塊が残存することはなく、これより貯氷庫本体７の下側前端部をへこませたり破損することなく開閉扉７を確実に閉じることができる。
【００２７】
また、扉裏板１１に形成された結露水案内部１８は、各テーパ部１６から内側方向（扉裏板１１の左右方向中央部）に向かって下方に傾斜されるともとに、扉裏板１１の左右方向中央部にて相互に合流する樋状の２つの案内部１８Ａ、１８Ｂから構成されているので、貯氷時に扉裏板１１の庫内側面に付着し自重により庫内側面に下方に伝ってくる結露水を各案内部１８Ａ及び１８Ｂを介して集合的に受けるとともに、各案内部１８Ａ、１８Ｂの傾斜に基づき合流部１９まで案内することが可能となり、これより結露水の一括処理を容易に行うことができる。
【００２８】
更に、各案内部１８Ａと１８Ｂの合流部１９には、扉裏板１１の庫内側面から下方に向かって傾斜する傾斜面２０Ａを有し、各案内部１８Ａ、１８Ｂを介して集合された結露水を貯氷庫本体２内に返す結露水返し部２０が形成されているので、その傾斜面２０Ａを介して各案内部１８Ａ、１８Ｂを介して合流部１９に集合的に案内された結露水を効率的に貯氷庫本体内に返すことができる。
【００２９】
また、結露水返し部２０は、扉裏板１１の略中央部に１個形成されているだけであるから、前記した従来の貯氷庫におけるように、開閉扉１１の両側で前面側上端部４Ａとの間に氷塊を抱え込んでしまうような問題は確実に解消することができる。更に、扉裏板１１の両側において、各テーパ部１６の頂点１６Ａは、パッキン１２よりも高く形成されていることから、スロープ部材１３の各側板１３Ｃからこぼれた氷塊は頂点１６Ａに当たって開閉扉７の外側にはじき出され易くなり、これより氷塊が底壁４における前面側上端部４Ａと開閉扉７との間に残存し難くすることができる。
【００３０】
尚、本発明は前記実施形態に限定されるものではなく、本発明の要旨を逸脱しない範囲内で種々の改良、変形が可能であることは勿論である。
【００３１】
【発明の効果】
以上説明した通り本発明は、開閉扉を開放して貯氷庫本体の氷取出口から氷塊を取り出す際に氷塊がスロープ部材における一対の各側板の外方にこぼれた場合においても、開閉扉の閉塞時に氷塊を貯氷庫内に誘導して確実に開閉扉を閉じることが可能であるとともに、氷取出口側に対向する開閉扉の扉裏板に付着する結露水を集合的に案内して効率的に貯氷庫本体内に返すことが可能な貯氷庫を提供することができる。
【図面の簡単な説明】
【図１】  本実施形態に係る貯氷庫の一部切欠側断面である。
【図２】  扉裏板の正面図である。
【図３】  図２における扉裏板１１のＡ−Ａ断面図である。
【図４】  図３におけるＢ部分の拡大断面図である。
【図５】  図２における扉裏板１１のＣ−Ｃ断面図である。
【図６】  従来の貯氷庫において開閉扉を開放した状態を模式的に示す貯氷庫の部分斜視図である。
【図７】  従来の貯氷庫において開閉扉を開放した状態を模式的に示す貯氷庫の部分側面図である。
【符号の説明】
１・・・貯氷庫、２・・・貯氷庫本体、６・・・氷取出口、７・・・開閉扉、
１１・・・扉裏板、１２・・・パッキン、１３・・・スロープ部材、
１３Ｂ・・・氷案内板、１３Ｃ・・・側板、１６・・・テーパ部、
１７・・・テーパ面、１８・・・結露水案内部、１８Ａ、１８Ｂ・・・案内部、
１９・・・合流部、２０・・・結露水返し部、２０Ａ・・・傾斜面
【図１】
0004614574.tif 000002
【図２】
0004614574.tif 000003
【図３】
0004614574.tif 000004
【図４】
0004614574.tif 000005
【図５】
0004614574.tif 000006
【図６】
0004614574.tif 000007
【図７】
0004614574.tif 000008